(57)【要約】      （修正有）【課題】折りたたみ式車椅子を車の後部座席に乗せて運搬するときに、後部座席に人が乗れるように、折りたたんだ車椅子を縦にして固定する器具を提供する。【解決手段】固定棒Ｂ３の中間部に伸縮棒受け１２を取付け、固定棒Ｄ５の中間部に突っ張り棒支持具１３を取付け、該突っ張り棒支持具１３に突っ張り棒１４を止めネジ１５にて回動自在に取付け、該突っ張り棒１４の他端には伸縮棒１６をスプリング１７により突出する方向に付勢されるように伸縮自在に挿入する。突っ張り棒１４は、固定棒Ｄ５に平行の状態から９０°回動するようになっている。また、車の後部座席のヘッドレスト部穴に差し込んで使用するための車椅子固定用ベルト掛け棒１８を別途に作製して備える。【選択図】図１
0003135303.tif 000002
【実用新案登録請求の範囲】
【請求項１】
固定棒Ａと固定棒Ｂ、固定棒Ｃと固定棒Ｄは略中間部にて分割されていて、固定棒Ａは固定棒Ｂに伸縮自在に挿入され、固定棒Ｃは固定棒Ｄに伸縮自在に挿入され、固定棒Ｂ及び固定棒Ｄの挿入端にオスネジを設け、そこにメスネジを設けたストッパーを取付けて、ストッパーのネジを締める方向に回したときにはストッパーが働いて固定し、ストッパーのネジを緩める方向に回したときには伸縮自在となる固定棒とし、固定棒Ａ、固定棒Ｂ、固定棒Ｃ、固定棒Ｄの各先端４ヶ所に、それぞれベルト取付け具を取付け、固定棒Ａ及び固定棒Ｂの両先端に取付けたベルト取付け具にはそれぞれ固定ベルトＡを取付け、該固定ベルトＡの先に連結器具オスをそれぞれ取付け、固定棒Ｃ及び固定棒Ｄの両先端に取付けたベルト取付け具にはそれぞれ固定ベルトＢを取付け、該固定ベルトＢの先に連結器具メスをそれぞれ取付け、固定棒Ｂの中間部に伸縮棒受けを取付け、固定棒Ｄの中間部に突っ張り棒支持具を取付け、該突っ張り棒支持具に突っ張り棒を止めネジにて回動自在に取付け、突っ張り棒の他端には伸縮棒をスプリングにより突出する方向に付勢されて伸縮自在に挿入し、別途に作製した車の後部座席のヘッドレスト部穴に差し込んで使用するための車椅子固定用ベルト掛け棒を備えた、折りたたみ式車椅子の固定器具。
【考案の詳細な説明】
【技術分野】
【０００１】  本考案は、折りたたみ式車椅子を乗用車等の後部座席に積み込んで運搬するときに、車椅子を縦にして固定するための、折りたたみ式車椅子の固定器具に関するものである。
【背景技術】
【０００２】  従来、車椅子を車に積み込んで運搬するときには、車椅子専用のスペースを設けた車であれば、被介護者が車椅子に乗ったままで床に車椅子を固定する装置や器具を設けて車椅子を固定していた。
しかし、乗用車や軽乗用車のような車椅子を乗せるためのスペースや装置がない場合、折りたたみ式車椅子を折りたたんで後部座席のシートに横にして乗せていた。そうすると前の座席に運転者と助手席に被介護者が乗って後部座席は車椅子が占めるため、介護者の乗る余地がなかった。そこで車椅子を後部座席に（進行方向に対し）縦に乗せることができれば、後部座席に介護者も同乗でき、被介護者を見守ることができるので安心である。しかし、従来このような形で車椅子を固定しておくための器具は考案されていなかった。
【考案の開示】
【考案が解決しようとする課題】
【０００３】  本考案は、上記のような事情に鑑み、車の後部座席に、折りたたみ式車椅子を縦にして固定し、介護者も同乗できるようにした、取り扱いが簡単な折りたたみ式車椅子の固定器具を提供しようとするものである。
【課題を解決するための手段】
【０００４】  固定棒Ａと固定棒Ｂ、固定棒Ｃと固定棒Ｄは略中間部にて分割されていて、固定棒Ａは固定棒Ｂに伸縮自在に挿入され、固定棒Ｃは固定棒Ｄに伸縮自在に挿入され、固定棒Ｂ及び固定棒Ｄの挿入端にオスネジを設け、そこにメスネジを設けたストッパーを取付けて、ストッパーのネジを締める方向に回したときにはストッパーが働いて固定し、ストッパーのネジを緩める方向に回したときには伸縮自在となる固定棒とし、固定棒Ａ、固定棒Ｂ、固定棒Ｃ、固定棒Ｄの各先端４ヶ所に、それぞれベルト取付け具を取付け、固定棒Ａ及び固定棒Ｂの両先端に取付けたベルト取付け具にはそれぞれ固定ベルトＡを取付け、該固定ベルトＡの先に連結器具オスをそれぞれ取付け、固定棒Ｃ及び固定棒Ｄの両先端に取付けたベルト取付け具にはそれぞれ固定ベルトＢを取付け、該固定ベルトＢの先に連結器具メスをそれぞれ取付け、固定棒Ｂの中間部に伸縮棒受けを取付け、固定棒Ｄの中間部に突っ張り棒支持具を取付け、該突っ張り棒支持具に突っ張り棒を止めネジにて回動自在に取付け、該突っ張り棒の他端には伸縮棒をスプリングにより突出する方向に付勢されて伸縮自在に挿入し、別途に作製した車の後部座席のヘッドレスト部穴に差し込んで使用するための車椅子固定用ベルト掛け棒を備えた、折りたたみ式車椅子の固定器具である。
【考案の効果】
【０００５】  本考案を用いることにより、乗用車、ワゴン車、軽乗用車あるいはタクシー等に折りたたみ式車椅子を乗せて運送する場合、被介護者だけでなく介護者も同乗できるので、被介護者が安心すると共に介護者も被介護者を見守ってあげられるので安心である。
尚、本考案は折りたたみ式車椅子を運搬する場合だけでなく、大きな絵画やベビーカー、大型楽器あるいは横に倒してはいけないものの運搬にも使用できる。
【考案を実施するための最良の形態】
【０００６】  本考案の構造を図１により説明する。
固定棒Ａ（２）と固定棒Ｂ（３）、固定棒Ｃ（４）と固定棒Ｄ（５）はそれぞれ略中間部にて分割されていて、固定棒Ａ（２）は固定棒Ｂ（３）に伸縮自在に挿入され、固定棒Ｃ（４）は固定棒Ｄ（５）に伸縮自在に挿入され、固定棒Ｂ（３）及び固定棒Ｄ（５）の挿入端に縦のスリット及びオスネジを設け、そこにテーパー付メスネジを設けたストッパー（６）を取付けて、ストッパー（６）のネジを締める方向に回したときにはストッパー（６）が働いて固定し、ストッパー（６）のネジを緩める方向に回したときには伸縮自在となる固定棒とする。（図２参照）
固定棒Ａ（２）、固定棒Ｂ（３）、固定棒Ｃ（４）、固定棒Ｄ（５）、の各先端４ヶ所に、それぞれベルト取付け具（７）を取付け、固定棒Ａ（２）及び固定棒Ｂ（３）の両先端に取付けたベルト取付け具（７）にはそれぞれ固定ベルトＡ（８）を取付け、該固定ベルトＡ（８）の先に連結器具オス（１０）をそれぞれ取付け、固定棒Ｃ（４）及び固定棒Ｄ（５）の両先端に取付けたベルト取付け具（７）にはそれぞれ固定ベルトＢ（９）を取付け、該固定ベルトＢ（９）の先に連結器具メス（１１）をそれぞれ取付ける。
固定棒Ｂ（３）の中間部に伸縮棒受け（１２）を取付け、固定棒Ｄ（５）の中間部に突っ張り棒支持具（１３）を取付け、該突っ張り棒支持具（１３）に突っ張り棒（１４）を止めネジ（１５）にて回動自在に取付け、該突っ張り棒（１４）の他端には伸縮棒（１６）をスプリング（１７）により突出する方向に付勢されるように伸縮自在に挿入する。
突っ張り棒（１４）は、固定棒Ｄ（５）に平行の状態から９０°回動するようになっている。（図３参照）
また、車の後部座席のヘッドレスト部穴に差し込んで使用するための車椅子固定用ベルト掛け棒（１８）を別途に作製して備える。
本考案は、以上の構成よりなっている。【０００７】  本考案を使用して折りたたみ式車椅子を車で運搬するときは、図４に示すように車椅子を折りたたんで後部座席の片側に縦に乗せる。
車椅子を後部座席に乗せるときに、ワゴン車のような場合車の後部から乗せる場合には後部座席のヘッドレストが邪魔になるのでそれを取外し、座席の背を倒してから乗せる。
固定棒Ａ（２）と固定棒Ｂ（３）、固定棒Ｃ（４）と固定棒Ｄ（５）をそれぞれ車椅子の大車輪と本体フレームとの間に左右に分かれた形で入れ、固定棒Ａ（２）の固定ベルトＡ（８）と固定棒Ｃ（４）の固定ベルトＢ（９）を前部座席のヘッドレスト（１９）に回して掛け、固定ベルトＡ（８）の連結器具オス（１０）を固定ベルトＢ（９）の連結器具メス（１１）に差し込んで連結固定する。
次に後部座席のヘッドレストを取外した穴２ヶ所にベルト掛け棒（１８）を嵌入する。上記と同様に固定棒Ｂ（３）及び固定棒Ｄ（５）の他方の固定ベルトＡ（８）及び固定ベルトＢ（９）をベルト掛け棒（１８）に回してから連結器具オス（１０）を連結器具メス（１１）に差し込んで連結固定する。
さらに、突っ張り棒（１４）を横に回動させ、伸縮棒（１６）がスプリング（１７）により突出する方向に付勢されているので、該伸縮棒（１６）のボッチを引いて先端を引っ込ませてから伸縮棒受け（１２）に挿入し、固定する。
固定棒の固定状態が緩い場合は、前部座席及び後部座席の固定ベルトＢ（９）の折り返し調節部のベルトを引っ張って締め、固定状態をしっかりさせる。
尚、車椅子を乗用車の場合のように横の後部ドアから乗せる場合は、後部座席ヘッドレスト（２０）を取外す必要はなく、固定ベルトＡ（８）及び固定ベルトＢ（９）はヘッドレストに回して固定されるので、ベルト掛け棒（１８）は不要となる。
【図面の簡単な説明】
【０００８】
【図１】本考案の平面図
【図２】固定棒の連結部詳細図
【図３】突っ張り棒の詳細図（一部破断図）
【図４】本考案により車椅子を車の後部座席に固定した状態を示す図
【符号の説明】
【０００９】  １  本考案の折りたたみ式車椅子の固定器具
２  固定棒Ａ
３  固定棒Ｂ
４  固定棒Ｃ
５  固定棒Ｄ
６  ストッパー
７  ベルト取付け具
８  固定ベルトＡ
９  固定ベルトＢ
１０  連結器具オス
１１  連結器具メス
１２  伸縮棒受け
１３  突っ張り棒支持具
１４  突っ張り棒
１５  止めネジ
１６  伸縮棒
１７  スプリング
１８  ベルト掛け棒
１９  前部座席ヘッドレスト
２０  後部座席ヘッドレスト
２１  折りたたみ式車椅子
【図１】
0003135303.tif 000003
【図２】
0003135303.tif 000004
【図３】
0003135303.tif 000005
【図４】
0003135303.tif 000006